【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
表示部へのタッチ操作を検出可能なタッチ検出手段と、
特定の表示項目に対するタッチ操作を受け付ける第一の状態と、前記特定の表示項目に対するタッチ操作を受け付けない第二の状態とを含む複数の状態のいずれかに切り替える切替手段と、
前記第一の状態の場合と、前記第二の状態の場合のいずれにおいても前記特定の表示項目を前記表示部に表示するように制御する表示制御手段と、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わず、前記特定の処理を行うように制御する制御手段と
を有することを特徴とする電子機器。
【請求項２】
前記制御手段は、前記第二の状態の場合に、前記特定の表示項目の表示される領域へのタッチ操作を受け付けたことに応じて、該タッチ操作を受け付けた位置に応じた前記特定の処理を行うように制御することを特徴とする請求項１に記載の電子機器。
【請求項３】
前記表示制御手段は、前記第一の状態の場合と前記第二の状態の場合とで前記特定の表示項目の表示形態を変えるように制御することを特徴とする請求項１または２に記載の電子機器。
【請求項４】
前記特定の表示項目に対応する処理は、前記特定の表示項目の示す設定項目の設定を変更する処理であることを特徴とする請求項１乃至３の何れか１項に記載の電子機器。
【請求項５】
撮像部により得られた撮像画像が前記表示部へ表示されており、
前記制御手段は、前記撮像画像のうち、前記タッチ操作が行われた位置の被写体に基づいて前記特定の処理を行うように制御することを特徴とする請求項１乃至４の何れか１項に記載の電子機器。
【請求項６】
前記特定の処理は、オートフォーカス、自動露出、オートホワイトバランスの少なくともいずれかであることを特徴とする請求項５に記載の電子機器。
【請求項７】
前記表示部へのタッチ操作を受け付け可能なタッチ有効状態と、前記表示部へのタッチ操作を受け付けないタッチ無効状態とを切り替えるタッチ切替手段とをさらに有し、
前記制御手段は、前記タッチ無効状態へと切り替えられた場合には、タッチ操作を受け付けても前記特定の処理を行わず、前記第一の状態であっても前記特定の表示項目へのタッチ操作を受け付けないように制御することを特徴とする請求項１乃至６の何れか１項に記載の電子機器。
【請求項８】
前記制御手段は、前記第一の状態の場合には前記表示部に前記特定の表示項目とは異なるタッチ操作を受け付け可能なタッチボタンを表示し、前記第二の状態の場合には前記タッチボタンを表示しないように制御することを特徴とする請求項１乃至７の何れか１項に記載の電子機器。
【請求項９】
前記タッチボタンは、設定画面を表示させるためのタッチボタン、前記表示部に表示される画像を拡大するためのタッチボタン、撮影指示をタッチ操作で受け付けるか否かを切り替えるためのタッチボタンのいずれかを含むことを特徴とする請求項８に記載の電子機器。
【請求項１０】
前記特定の項目は、シャッタースピード、絞り、ＩＳＯ感度、露出補正のいずれかを含むことを特徴とする請求項１乃至９の何れか１項に記載の電子機器。
【請求項１１】
前記所定の領域は、前記表示部のうち、端の領域を含まない中央の領域であることを特徴とする請求項１乃至１０の何れか１項に記載の電子機器。
【請求項１２】
前記特定の表示項目は、前記表示部の辺に沿った位置に表示されることを特徴とする請求項１乃至１１の何れか１項に記載の電子機器。
【請求項１３】
前記切替手段は、前記表示部とは異なる位置に設けられた単一操作部材への操作で前記第一の状態と前記第二の状態とを含む複数の状態のいずれかに切替可能であることを特徴とする請求項１乃至１２の何れか１項に記載の電子機器。
【請求項１４】
前記切替手段は、前記第一の状態に対応する第一の表示モードと、前記第二の状態に対応する第二の表示モードと、第三の表示モードを含む、当該電子機器の設定内容または動作状態を表す情報表示の項目数が異なる複数の表示モードのいずれかに切り替えることを特徴とする請求項１乃至１３の何れか１項に記載の電子機器。
【請求項１５】
前記第一の表示モードと、前記第二の表示モードを含む複数の表示モードごとに、表示する表示項目を設定する設定手段を有し、
前記切替手段は前記複数の表示モードのうちいずれかに切り替えることを特徴とする請求項１４に記載の電子機器。
【請求項１６】
前記設定手段は、さらに前記複数の表示モードごとに前記特定の表示項目を表示する場合に前記第一の状態で表示するか、前記第二の状態で表示するかを設定可能であることを特徴とする請求項１５に記載の電子機器。
【請求項１７】
表示部へのタッチ操作を検出可能なタッチ検出手段と、
特定の項目の設定値を示す特定の表示項目に対するタッチ操作を受け付ける第一の状態と、前記特定の表示項目に対するタッチ操作を受け付けない第二の状態とを含む複数の状態のいずれかに切り替える切替手段と、
前記第一の状態の場合と、前記第二の状態の場合のいずれにおいても前記特定の表示項目を前記表示部に表示するように制御する表示制御手段と、
前記特定の表示項目の設定値を変更可能な変更手段と、
前記変更手段により前記特定の表示項目の設定値が変更されたことに応じて、前記特定の表示項目の表示形態を変更し、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わないように制御する制御手段と
を有することを特徴とする電子機器。
【請求項１８】
表示部へのタッチ操作を検出可能なタッチ検出手段と、
特定の表示項目に対するタッチ操作を受け付ける第一の状態と、前記特定の表示項目に対するタッチ操作を受け付けない第二の状態とを含む複数の状態のいずれかに切り替える切替手段と、
前記第一の状態の場合と、前記第二の状態の場合のいずれにおいても前記特定の表示項目を前記表示部に表示するように制御する表示制御手段と、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わないように制御する制御手段とを有し、
前記表示制御手段は、前記第一の状態の場合には前記表示部に前記特定の表示項目とは異なるタッチ操作を受け付け可能なタッチボタンを表示し、前記第二の状態の場合には前記タッチボタンを表示しないように制御する
ことを特徴とする電子機器。
【請求項１９】
表示部へのタッチ操作を検出可能なタッチ検出ステップと、
特定の表示項目に対するタッチ操作を受け付ける第一の状態と、前記特定の表示項目に対するタッチ操作を受け付けない第二の状態とを含む複数の状態のいずれかに切り替える切替ステップと、
前記第一の状態の場合と、前記第二の状態の場合のいずれにおいても前記特定の表示項目を前記表示部に表示するように制御する表示制御ステップと、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わず、前記特定の処理を行うように制御する制御ステップと
を有することを特徴とする電子機器の制御方法。
【請求項２０】
表示部へのタッチ操作を検出可能なタッチ検出ステップと、
特定の項目の設定値を示す特定の表示項目に対するタッチ操作を受け付ける第一の状態と、前記特定の表示項目に対するタッチ操作を受け付けない第二の状態とを含む複数の状態のいずれかに切り替える切替ステップと、
前記第一の状態の場合と、前記第二の状態の場合のいずれにおいても前記特定の表示項目を前記表示部に表示するように制御する表示制御ステップと、
前記特定の表示項目の設定値を変更可能な変更ステップと、
前記変更ステップにおいて前記特定の表示項目の設定値が変更されたことに応じて、前記特定の表示項目の表示形態を変更し、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わないように制御する制御ステップと
を有することを特徴とする電子機器の制御方法。
【請求項２１】
表示部へのタッチ操作を検出可能なタッチ検出ステップと、
特定の表示項目に対するタッチ操作を受け付ける第一の状態と、前記特定の表示項目に対するタッチ操作を受け付けない第二の状態とを含む複数の状態のいずれかに切り替える切替ステップと、
前記第一の状態の場合と、前記第二の状態の場合のいずれにおいても前記特定の表示項目を前記表示部に表示するように制御する表示制御ステップと、
前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、
前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わないように制御する制御ステップとを有し、
前記表示制御ステップは、前記第一の状態の場合には前記表示部に前記特定の表示項目とは異なるタッチ操作を受け付け可能なタッチボタンを表示し、前記第二の状態の場合には前記タッチボタンを表示しないように制御する
ことを特徴とする電子機器の制御方法。
【請求項２２】
コンピュータを、請求項１乃至１８のいずれか１項に記載された電子機器の各手段として機能させるためのプログラム。
【請求項２３】
コンピュータを、請求項１乃至１８のいずれか１項に記載された電子機器の各手段として機能させるためのプログラムを格納したコンピュータが読み取り可能な記録媒体。
【手続補正２】
【補正対象書類名】明細書
【補正対象項目名】０００６
【補正方法】変更
【補正の内容】
【０００６】
上記目的を達成するために、本発明の電子機器は、表示部へのタッチ操作を検出可能なタッチ検出手段と、特定の表示項目に対するタッチ操作を受け付ける第一の状態と、前記特定の表示項目に対するタッチ操作を受け付けない第二の状態とを含む複数の状態のいずれかに切り替える切替手段と、前記第一の状態の場合と、前記第二の状態の場合のいずれにおいても前記特定の表示項目を前記表示部に表示するように制御する表示制御手段と、前記第一の状態の場合には、前記特定の表示項目に対応しない所定の領域へのタッチ操作を受け付けたことに応じて該タッチ操作が行われた位置に応じた特定の処理を行い、前記特定の表示項目に対するタッチ操作を受け付けたことに応じて該表示項目に対応する処理を行い、前記第二の状態の場合には、前記所定の領域へのタッチ操作を受け付けたことに応じて該タッチ操作を受け付けた位置に応じた前記特定の処理を行い、前記特定の表示項目に対するタッチ操作があっても、該表示項目に対応する処理を行わず、前記特定の処理を行うように制御する制御手段とを有することを特徴とする。